(57)【要約】【課題】装置の全体の小形化、使用部品数の削減に寄与しコストの低減を図る。【解決手段】このランプユニットおよび磁気ディスク装置は、ケーシングＫ内に収納されて、磁気ディスク１３の面上を移動するアーム１２先端の磁気ヘッドを退避させるものであって、アーム先端部をガイドする傾斜ガイドを有する磁気ヘッド退避用のランプ本体１４ａと、ランプ本体１４ａに一体に設けられて、ケーシングＫに対しランプ本体１４ａをビス固定するためのタップ穴２７を有する筒状部材１４ｂとを備える。【選択図】図１
2005276368.tif 000002
【特許請求の範囲】
【請求項１】
磁気ディスクを収容するケーシング内に取り付けられるランプユニットであって、
前記磁気ディスクの面から退避される磁気ヘッドをガイド及び保持するランプ本体と、
前記ランプ本体に一体に設けられて、前記ケーシングに対し前記ランプ本体をビス固定するためのタップ穴を有する筒状部材と
を具備したことを特徴とするランプユニット。
【請求項２】
前記筒状部材は、
円筒状をなし、その外周面の一部を平面または凹状あるいは凸状のいずれかに形成した前記ランプ本体に対する回り止め部を具備することを特徴とする請求項２または３記載のランプユニット。
【請求項３】
前記筒状部材は、
前記ランプ本体の上面に設けられた位置決め穴とで、前記ランプ本体を前記ケーシングに取り付けるときの支持に用いるフランジ部を具備することを特徴とする請求項２記載のランプユニット。
【請求項４】
前記フランジ部は、
その外周面を挟持するためにその一部を切り欠いた切欠部を具備したことを特徴とする請求項２記載のランプユニット。
【請求項５】
磁気ディスクを収容するケーシングと、
前記磁気ディスクの面上をアームで支持した磁気ヘッドを移動させる磁気ヘッド移動機構と、
前記磁気ヘッド移動機構により前記磁気ディスクの面から退避される磁気ヘッドをガイド及び支持するランプ本体と、
前記ランプ本体に一体に設けられて、前記ケーシングに対し前記ランプ本体をビス固定するためのタップ穴を有する筒状部材と、
前記筒状部材のタップ穴で前記筒状部材と前記ケーシングを共締めするビスと
を具備したことを特徴とする磁気ディスク装置。
【請求項６】
前記ケーシングは、前記筒状部材を軸方向上側と下側から挟むように取り付けられるベースとカバーとを備え、前記ベースおよびカバーを、それぞれの側から前記ビスで前記筒状部材のタップ穴に別個に共締めしたことを特徴とする請求項５記載の磁気ディスク装置。
【発明の詳細な説明】
【技術分野】
【０００１】
本発明は、例えば磁気ディスクの面上を移動するアーム先端の磁気ヘッドを退避させるランプユニットおよびこのランプユニットをケーシング内に備える磁気ディスク装置に関する。
【背景技術】
【０００２】
磁気ディスク装置は、磁気ディスクを記録媒体として用い、情報の記録、再生を行うものであり、磁気ディスクをディスクモータのハブに保持して回転することで、磁気ディスクへの情報の記録、再生が行われる。
【０００３】
この磁気ディスク装置では、磁気ヘッドが磁気ディスクと一緒に動く空気のクッションにより、磁気ディスクとの接触を防止している。しかし、磁気ディスクが静止状態から回転を初めるときには、十分な空気のクッションが得られないため、ある距離だけ磁気ヘッドと磁気ディスクの表面との摩擦が発生する。
【０００４】
こうした理由から、ディスクドライブ動作していない間は、磁気ヘッドを磁気ディスクの表面から退避させておくランプユニットが用いられる（例えば特許文献１参照）。
【０００５】
ランプユニットは、射出成形金型にプラスチック・ランプ・ユニット材料を流し込んで成形される樹脂部品、あるいは樹脂部品と金属製のスリーブとの組み立て部品である。このランプユニットは、上下いずれか一方からカバーやベースなどの基部にビスで固定される。
【０００６】
一方、磁気ヘッドや磁気ディスクと共にランプユニットを収納するケーシングは、べースとこれの上を被うカバーとからなり、これらはそれぞれに設けた穴にビスを挿入し、一方の基部に設けた雌ねじ部に締め付けることで組み付けていた。
【０００７】
つまり、ランプユニットの取り付けとベースとカバーとの結合には、それぞれ別々の穴を用意し、これらに別々のビスで取り付ける必要がある。従って、このための取り付けエリアや結合エリアを別々に用意する必要があり、装置や部品の小形化および部品点数の削減の妨げになっていた。
【特許文献１】特開２００１−２３３２５号公報
【発明の開示】
【発明が解決しようとする課題】
【０００８】
このように、従来の磁気ディスク装置は、部品組み付けの際に、ベースにまずランプユニットをビスで固定し、その組み込み品であるベース部とカバーとを別個にビス締めする必要がある。従って、その取り付けや結合の工数および部品点数の増加を招くほか、その取り付けエリアや結合のエリアを別々に用意する必要があるため、装置の小形化を行えないという問題があった。
【０００９】
本発明はこのような課題を解決するためになされたもので、装置の全体の小形化、使用部品数の削減に寄与し、コストの低減を図ることができるランプユニットおよび磁気ディスク装置を提供することを目的としている。
【課題を解決するための手段】
【００１０】
上記した課題を解決するために、本発明のランプユニットは、磁気ディスクを収容するケーシング内に取り付けられるランプユニットであって、前記磁気ディスクの面から退避される磁気ヘッドをガイド及び保持するランプ本体と、前記ランプ本体に一体に設けられて、前記ケーシングに対し前記ランプ本体をビス固定するためのタップ穴を有する筒状部材とを具備したことを特徴とする。
【００１１】
また、本発明の磁気ディスク装置は、磁気ディスクを収容するケーシングと、前記磁気ディスクの面上をアームで支持した磁気ヘッドを移動させる磁気ヘッド移動機構と、前記磁気ヘッド移動機構により前記磁気ディスクの面から退避される磁気ヘッドをガイド及び支持するランプ本体と、前記ランプ本体に一体に設けられて、前記ケーシングに対し前記ランプ本体をビス固定するためのタップ穴を有する筒状部材と、前記筒状部材のタップ穴で前記筒状部材と前記ケーシングを共締めするビスとを具備したことを特徴とする。
【００１２】
本発明では、磁気ヘッドの退避部として機能するランプ本体に一体に設けた筒状部材が、ランプ本体をケーシングに対しビス固定するためのタップ穴を有する。ケーシングを構成するベースとカバーでランプ本体を軸方向から挟み込むようにし、カバーの上側からとベースの下側からビスをタップ穴にねじ込むことで、ランプ本体のケーシングへの固定と、ケーシングを構成するベースとカバーの結合とを同時に実施する。これにより、ランプ本体の固定やベースとカバーの結合に、別々にビスねじ込み用のエリアを用意する必要をなくし、装置の全体の小形化、使用部品数の削減に寄与し、コストの低減を図ることができる。
【００１３】
また、上記磁気ディスク装置は、筒状部材を軸方向上側と下側から挟むように取り付けられるベースとカバーとを備え、ベースおよびカバーを、それぞれの側からビスで筒状部材のタップ穴に別個に共締めしたことで、ビス部品の削減と薄型化を図ることができ、加えてケーシングの組み付けを迅速化できる。
【００１４】
ここで、上記筒状部材は、ランプ本体の上面に設けられた位置決め穴とで、ランプ本体をケーシングに取り付けるときの位置決めに用いるフランジ部を備える構成としている。これにより、ランプユニットをロボットアームなどを用いてケーシングにおけるベース上の指定位置に自動配置でき、ランプユニットの組立効率を高めることができる。
【００１５】
また、上記ケーシングは、筒状部材を軸方向上側と下側から挟むように取り付けられるベースとカバーとを備え、ベースおよびカバーを、それぞれの側からビスで筒状部材のタップ穴に別個に共締めして構成される。これにより、ランプユニットに対するケーシングのベースとカバーの両方の取り付けにビス部品を削減できる。
【００１６】
また、上記筒状部材は、円筒状をなし、その外周面の一部を平面または凹状あるいは凸状のいずれかに形成したランプ本体に対する回り止め部を備えたことで、ビスを筒状部材のタップ穴にねじ込む際に、筒状部材がランプ本体に対し空回りするのを防止でき、ビスによるランプ本体とケーシングとの結合を確実なものにすることができる。
【００１７】
また、上記フランジ部は、その外周面を挟持するためにその一部を切り欠いた切欠部を備えたことで、その平滑面をロボットアーム等によるランプユニットの把持および取り付けのための移送及び位置決め等に利用できる。
すなわち、本発明では、ランプ本体に一体に設けると共に回り止め加工を施した筒状部材を用いて、ベース等に対するランプ本体の固定と、ケーシングを構成するベースとカバーとの結合を同一エリアでのねじの共締めで行うようにしたことで、装置の全体の小形化と使用部品数を削減することができる。
【発明の効果】
【００１８】
以上説明したように、本発明によれば、装置の全体の小形化、使用部品数の削減に寄与し、コストの低減を図ることができる。
【発明を実施するための最良の形態】
【００１９】
以下、本発明の実施の形態を図面を参照して詳細に説明する。
図１は本発明に係る一つの実施の形態の磁気ディスク装置を分解して示す斜視図である。
同図に示すように、この磁気ディスク装置は、ベース１１、アーム１２、磁気ディスク１３、ランプユニット１４、トップヨーク１５、カバー１６などを備えている。
【００２０】
ベース１１上には、アーム１２、磁気ディスク１３、ランプユニット１４、トップヨーク１５が設置され、その上からカバー１６がかぶせられて、カバー１６内部が外部から遮断される。このベース１１とカバー１６によりこの磁気ディスク装置のケーシングＫが構成される。
アーム１２は、ヘッドサブアセンブリを構成し、データの記録再生を行う磁気ヘッドを先端に有し、ベアリングユニット１７によりベース１１上に回転可能に支持されている。このアーム１２は、ボイスコイルモータにより駆動されて、磁気ディスク１３の表面上とランプユニット１４までの間を移動する。これらの部品により、磁気ディスク１３の面上をアーム１２で支持した磁気ヘッドを移動させる磁気ヘッド移動機構が構成されている。
【００２１】
磁気ディスク１３は、モータシャフトを中心に回転するハブ（図示しない）およびクランパ１８間に挟持されている。ハブに取り付けたマグネットとその周辺に配置されたコイルとにより、磁気ディスク１３を駆動するためのモータが構成されている。
ランプユニット１４は、磁気ディスク１３を収容するケーシングＫ内に取り付けられるものであって、磁気ディスク１３が動作を停止中に振動等で磁気ヘッドが磁気ディスク１３の面に衝突して傷つけないように磁気ディスク１３の面の位置から外へ退避される磁気ヘッドを、動作開始までの間、ガイド及び保持しておく退避場所としての役目を担うものである。動作開始の際、磁気ディスク１３の回転が磁気ヘッドをこの磁気ディスク１３表面上方へ浮上させる最低速度に達するまでの間、ランプユニット１４は、磁気ヘッドを磁気ディスク１３の表面とは異なる場所に退避させておく役目もある。
【００２２】
トップヨーク１５は、アーム１２の基部をベアリングユニットを介して駆動するボイスコイルモータを備える。
ベース１１およびカバー１６の互いに対向する位置に、ビス１９、２０の挿入孔２１、２２が穿設されている。これらのビス１９、２０は、挿入孔２１、２２を通してランプユニット１４に対し、上下両方向からねじ込み可能である。
【００２３】
ランプユニット１４の詳細を、図２および図３に示す。図２はランプユニット１４の斜視図、図３はランプユニット１４の平面図である。図４はランプユニット１４をケーシングＫに組付けた状態の要部の縦断面図である。このランプユニット１４は、ケーシングＫにおける取付環境等から、全体として変形タイプの長五辺形をなす。
【００２４】
ランプユニット１４は、低い摩擦係数と良好な潤滑特性を持つプラスチック、例えばポリアセタールなどの液晶性重合体からなるランプ本体１４ａと、このランプ本体１４ａ内に一部がモールドされた金属製（例えばＳＵＳ等）の筒状部材１４ｂとからなる。つまり、筒状部材１４ｂは、ランプ本体１４ａに一体に設けられている。ランプ本体１４ａは、磁気ディスク１３の面から退避される磁気ヘッドをガイド及び支持するものである。
【００２５】
例えば、筒状部材１４ｂを射出成形用金型に入れて、この筒状部材１４ｂのまわりにプラスチックランプ材料としてのポリアセタールを流し込む。これにより、筒状部材１４ｂのインサート成形によるランプユニット１４が形成される。
【００２６】
ランプユニット１４は、ベース１１における磁気ディスク１３の周辺部に設置されている。ランプ本体１４ａの一つの側面には、筒状部材１４ｂに近い側の端部から他端部に掛けて、アーム１２先端をガイドする傾斜状のガイド面である傾斜ガイド２３が形成されている。ランプユニット１４（ランプ本体１４ａ）は、ヘッドサブアセンブリ、ボイスコイルモータ等からなる磁気ヘッド移動機構により移動される磁気ヘッドを磁気ディスク１３の面から退避させておくものである。
【００２７】
傾斜ガイド２３は、磁気ディスク１３の表面から磁気ヘッド（図示しない）を滑らかに持ち上げて退避させるように、アーム１２の先端部またはこれに連設した磁気ヘッド支持部材を摺動案内する。傾斜ガイド２３は、磁気ヘッドの滑らかな持ち上げのために、その傾きおよび長さが設定されている。
【００２８】
図５および図６は、上記筒状部材１４ｂの平面図および側面図である。また、図７は図５における筒状部材１４ｂのＡ‐Ａ断面図、図８は図６における筒状部材１４ｂのＢ‐Ｂ断面図である。この筒状部材１４ｂは全体として円筒状をなし、上下両端部の外周に所定厚の円環状のフランジ部（突縁）２４、２５が設けられている。各フランジ部２４、２５の外周には、ほぼ平行に切り欠いた位置決め用の平らな切欠面２４ａ、２５ａが形成されている。
【００２９】
また、筒状部材１４ｂの軸方向のほぼ中央部には、回り止め部としての円環部２６が突設されている。この円環部２６の外周には、回り止め用としてほぼ平行に切り欠いたそれぞれ一対の平らな切欠面２６ａが形成されている。筒状部材１４ｂは円環部を含む外周が上記のようなインサート成形によって、ポリアセタールのランプ本体１４ａ内にモールドされている。従って、筒状部材１４ｂは、切欠面２６ａによりランプ本体１４ａに対し回り止めされている。回り止め部としては、円環部２６に平らな切欠面２６ａを設ける以外に、例えば筒状部材１４ｂの外周面の一部を凹状あるいは凸状に加工したものであってもよい。
【００３０】
筒状部材１４ｂは、筒孔内周に雌ねじ用のタップ穴２７が貫通形成されている。このタップ穴２７は、図１に示すビス１９、２０がねじ込み可能なタップ径となっている。つまり、筒状部材１４ｂは、ケーシングＫに対しランプ本体１４ａをビス固定するためのタップ穴２７を有している。この筒状部材１４ｂのタップ穴２７で、ビス１９、２０は、ケーシングＫの外側から筒状部材１４ｂとケーシングＫを共締めする。
筒状部材１４ｂには、筒状部材１４ｂのモールド部分から離れた位置に、図２および図３に示すような位置決め穴２８が形成されている。この位置決め穴２８はフランジ部２４の切欠面２４ａとで、ランプユニット１４を把持（挟持）しケーシングＫ内の所定位置に移送して位置決めする場合に利用される。つまり、これらの位置決め穴２８およびフランジ部２４の切欠面２４ａは、ロボットアーム等で把持する部位に利用される。
【００３１】
筒状部材１４ｂおよびランプ本体１４ａからなるランプユニット１４は、次のようにしてケーシングＫ内に組み付けられる。まず、上記ランプユニット１４をベース１１上に載置する。このとき、筒状部材１４ｂのタップ穴２７をベース１１の挿入孔２２に一致させる。
【００３２】
次に、磁気ディスク１３やアーム１２などの各種の収納部品の設置を確認した上で、ベース１１上にカバー１６を載せる。このとき、カバー１６の挿入孔２１を筒状部材１４ｂのタップ穴２７上部に一致させる。これにより、挿入孔２１、２２およびタップ穴２７の各位置が一致する。そこで、カバー１６の上方およびベース１１の下方から、それぞれビス１９、２０を各挿入孔２１、２２を通して筒状部材１４ｂのタップ穴２７内にねじ込む。
【００３３】
こうすることで、相互に螺合する筒状部材１４ｂおよびビス１９、２０を介してランプユニット１４がケーシングＫ内に固定される。つまり、筒状部材１４ｂが、ランプ本体１４ａのケーシングＫ内への固定と、ケーシングＫを構成するベース１１とカバー１６との結合とに併用される。
【００３４】
従って、このランプユニット１４は、上記固定や結合のためのエリアをケーシングＫ上に余分に用意する必要がなくなる。この結果、磁気ディスク装置の小形化が可能となる。また、ビス１９、２０やタップ穴２７などの設置個数を減らすことができるため、組みつけの作業性とコストダウンを実現できる。
【００３５】
このようにこの実施形態のランプユニット１４によれば、磁気ヘッドの退避部として機能するランプ本体１４ａに、ケーシングＫに対しランプ本体１４ａをビス固定するためのタップ穴２７を設けたことで、このタップ穴２７にビス１９、２０をねじ込んだ際、ランプ本体１４ａのケーシングＫへの固定と、ケーシングＫを構成するベース１１とカバー１６の結合とを同時に実施できる。
この結果、ランプ本体１４ａの固定やベース１１とカバー１６の結合に、別々にビス１９、２０をねじ込むためのエリアを用意する必要をなくし、装置全体の小形化、使用部品数の削減、コストの低減を図ることができる。
【００３６】
また、この実施形態の磁気ディスク装置によれば、上記ランプユニット１４のタップ穴２７にビス１９、２０をねじ込むことにより、筒状部材１４ｂとケーシングＫのベース１１およびカバー１６を共締めすることができる。従って、磁気ディスク装置の組付けの作業効率を改善することができる。
【図面の簡単な説明】
【００３７】
【図１】本発明に係る磁気ディスク装置を示す分解斜視図。
【図２】図１のランプユニットを拡大して示す斜視図。
【図３】図１のランプユニットを拡大して示す平面図。
【図４】図１の磁気ディスク装置の一部を拡大して示す断面図。
【図５】図４の筒状部材を示す平面図。
【図６】図４の筒状部材を示す側面図。
【図７】図５の筒状部材のＡ‐Ａ断面図。
【図８】図６の筒状部材のＢ‐Ｂ断面図。
【符号の説明】
【００３８】
１１…ベース、１２…アーム、１３…磁気ディスク、１４…ランプユニット、１５…トップヨーク、１６…カバー、１７…ベアリングユニット、１８…クランパ、１９、２０…ビス、２４、２５…フランジ部、２４ａ、２５ａ…切欠面、２６…円環部、２６ａ…切欠面、２８…位置決め穴、Ｋ…ケーシング。
【図１】
2005276368.tif 000003
【図２】
2005276368.tif 000004
【図３】
2005276368.tif 000005
【図４】
2005276368.tif 000006
【図５】
2005276368.tif 000007
【図６】
2005276368.tif 000008
【図７】
2005276368.tif 000009
【図８】
2005276368.tif 000010